(57)【要約】      （修正有）【課題】軸状工具の収納および取り出し作業性を高め、当該工具の損傷を防止し、しかも、製作コストの低い包装容器を提供する。【解決手段】本発明の包装容器１は、上蓋２と、下蓋３と、該上蓋と下蓋の間に介在されていて、上蓋と下蓋とを開閉可能にヒンジ部４を介して一体に結合している背面板５と、該背面板の内面に形成されていて、軸状工具２０のシャンク２１を嵌め入れるための挿入穴７を備えたシャンク保持部６と、を備えている。前記上蓋および下蓋の内面には、前記軸状工具を側面側から挟持するための、相対する少なくとも一対の挟持片８が一体形成され、上蓋と下蓋とを閉じて軸状工具を収納したとき、軸状工具の前記挿入穴から突出した部分を一対の前記挟持片によって挟持するようにした。【選択図】図５
2006347610.tif 000002
【特許請求の範囲】
【請求項１】
軸状工具を包装するための包装容器であって、
上蓋と、
下蓋と、
前記上蓋と下蓋の間に介在されていて、これら上蓋と下蓋とを開閉可能にヒンジ部を介して一体に結合している背面板と、
前記背面板の内面に形成されていて、前記軸状工具のシャンクを嵌め入れるための挿入穴を備えたシャンク保持部と、を備え、
前記上蓋および前記下蓋の内面には、前記軸状工具を側面側から挟持するための、相対する少なくとも一対の挟持片が一体形成され、
前記上蓋と前記下蓋とを閉じて前記軸状工具を収納したとき、前記軸状工具の前記挿入穴から突出した部分を一対の前記挟持片によって挟持するようにしたことを特徴とする包装容器。
【請求項２】
軸状工具を包装するための包装容器であって、
上蓋と、
下蓋と、
前記上蓋と下蓋の間に介在されていて、これら上蓋と下蓋とを開閉可能にヒンジ部を介して一体に結合している背面板と、
前記背面板の内面に形成されていて、前記軸状工具のシャンクを把持する把持部材を介して前記軸状工具を嵌め入れるための挿入穴を備えたシャンク保持部と、を備え、
前記上蓋および前記下蓋の内面には、前記軸状工具を側面側から挟持するための、相対する少なくとも一対の挟持片が一体形成され、
前記上蓋と前記下蓋とを閉じて前記軸状工具を収納したとき、前記軸状工具の前記挿入穴から突出した部分を一対の前記挟持片によって挟持するようにしたことを特徴とする包装容器。
【請求項３】
一対の前記挟持片は、その弾性変形による弾性力でもって前記軸状工具を挟持するようにしたことを特徴とする請求項１または２記載の包装容器。
【請求項４】
前記上蓋および前記下蓋の少なくともいずれか一方には、前記軸状工具の長手方向先端側への移動を阻止するストッパー片を一体形成したことを特徴とする請求項１〜３のいずれか１項記載の包装容器。
【請求項５】
前記上蓋および前記下蓋とを閉じた状態に保持するための係止手段を備えたことを特徴とする請求項１〜４のいずれか１項記載の包装容器。
【発明の詳細な説明】
【技術分野】
【０００１】
本発明はドリル、リーマ、エンドミル、タップ等の軸状工具を収容するための包装容器に関する。
【背景技術】
【０００２】
この種の包装容器を図１０、図１１および図１２に例示する。図１０に示す包装容器は、軸状切削工具１７の軸部１９を嵌め入れるための穴１６を有する有底筒状の本体１２と、その本体１２の前記穴１６が開口する側から嵌合されることにより本体１２に嵌め入れられた前記切削工具１７の刃部２８を覆う有底筒状の蓋部材１４とを備えたものであり、前記本体１２の前記穴１６の開口側端縁から切り込まれ且つ軸方向と直交する方向に貫通する少なくとも１つのスリット２０と、前記本体１２外周面および前記蓋部材１４の内周面の少なくとも一方に形成され、その本体１２外周面とその蓋部材１４の内周面との圧接により前記穴１６を縮径させる少なくとも一つの突起２２若しくはテーパと、を含む包装容器である（例えば、特許文献１参照）。
【０００３】
図１１に示す包装容器は、軸状工具１６のシャンク１６ａが挿入される挿入穴１８を有する有底筒状の本体１２と、その本体１２の前記挿入穴１８にシャンク１６ａ側から挿入されることによりその挿入穴１６ａから突出した前記軸状工具の刃部１６ｂを覆蓋するように、その本体１２に一体的に固定される有底筒状の蓋部材１４と、前記本体１２の前記挿入穴１８の開口部に設けられた縮径可能な位置決め係合部２２と、その位置決め係合部２２および前記蓋部材１４の少なくとも一方に設けられ、その蓋部材１４が前記本体１２に軸方向から接近させられる際、テーパの作用で前記位置決め係合部２２を縮径させて前記シャンク１６ａを位置決めするテーパ形状部３０と、を有しており、前記蓋部材１４が、ねじにより前記本体１２に螺合されて一体的に結合されるようになっており、そのねじの回転に伴って前記テーパの作用で前記位置決め係合部２２が前記シャンク１６ａに押圧されるものである（例えば、特許文献２参照）。
【０００４】
図１２に示す包装容器は、本体１０と蓋体２０から構成されてなり、本体１０の一方の端側には工具２００を押し込むことによって挟む作用をなす挟持片１５ａ、１５ｂを有した仕切り部１３ａが設けられ、他方の端側には当該工具２００の挿通を可能とした貫通穴１６を有した仕切り部１３ｂが設けられ、この２つの仕切り部１３ａ、１３ｂの間には当該工具２００を押し上げる作用をなさしめる押し上げ部１７が形成され、蓋体２０には当該工具２００の嵌合を許容し、かつ当該工具２００を押圧する凹所２２を設けた仕切り部２３を前記本体１０の２つの仕切り部１３ａ、１３ｂの間に相当位置に形成したものである（例えば、特許文献３参照）。
【０００５】
【特許文献１】実公平３−５４０３３号公報
【特許文献２】特開２００２−１７２５４１号公報
【特許文献３】特開平４−４４９８１号公報
【発明の開示】
【発明が解決しようとする課題】
【０００６】
しかしながら、図１０に示す包装容器においては、単に蓋部材１４を軸方向へ押圧するだけで軸状切削工具１７の軸部１９を嵌め入れるための穴１６を縮径させるため、結合状態を保持する突起２２若しくはテーパの僅かな寸法誤差や摩耗、へたりなどで結合時の軸方向位置がばらつくと、それに伴って軸状切削工具１７の保持力（位置決め荷重）が大きく変化し、輸送中の振動などで軸状切削工具１７が包装容器内で軸方向にがたついて損傷するおそれがあった。
【０００７】
図１１に示す包装容器は、軸状工具１６の収納および取り出しのたびに蓋部材１４を本体１２にねじ込みおよび緩め作業を行わなければならないため、この作業の手間や煩雑さの問題があった。また、蓋部材１４を本体１２に対して脱着する際、当該蓋部材１４が軸状工具１６の刃部に接触し損傷させたり、作業者の手が前記刃部に接触しけがをしたりするおそれがあった。
【０００８】
図１２に示す包装容器においては、本体１０に工具２００を収納および取り出すにあたり、前記本体１０の一端に設けた仕切り部１３ｂの貫通穴１６に工具２００を挿脱する際、他端側の仕切り部１３ａおよび本体１０側壁に干渉するのを避けるため、場合によっては工具２００のシャンクを掴み直す必要があった。特に小径工具においては、本体１０が邪魔になって掴みづらくなることから作業性がさらに悪くなるおそれがあった。
【０００９】
本発明は上記の課題に鑑みてなされたものであり、その目的は、軸状工具の収納および取り出し作業性を高め、当該工具の損傷を防止し、しかも、製作コストの低い包装容器を提供することにある。
【課題を解決するための手段】
【００１０】
上記の課題を解決するため、第１の発明は、軸状工具を包装するための包装容器であって、上蓋と、下蓋と、前記上蓋と下蓋の間に介在されていて、これら上蓋と下蓋とを開閉可能にヒンジ部を介して一体に結合している背面板と、前記背面板の内面に形成されていて、前記軸状工具のシャンクを嵌め入れるための挿入穴を備えたシャンク保持部と、を備え、前記上蓋および前記下蓋の内面には、前記軸状工具を側面側から挟持するための、相対する少なくとも一対の挟持片が一体形成され、前記上蓋と前記下蓋とを閉じて前記軸状工具を収納したとき、前記軸状工具の前記挿入穴から突出した部分を一対の前記挟持片によって挟持するようにしたことを特徴とする包装容器である。
【００１１】
また、第２の発明は、軸状工具を包装するための包装容器であって、上蓋と、下蓋と、前記上蓋と下蓋の間に介在されていて、これら上蓋と下蓋とを開閉可能にヒンジ部を介して一体に結合している背面板と、前記背面板の内面に形成されていて、前記軸状工具のシャンクを把持する把持部材を介して前記軸状工具を嵌め入れるための挿入穴を備えたシャンク保持部と、を備え、前記上蓋および前記下蓋の内面には、前記軸状工具を側面側から挟持するための、相対する少なくとも一対の挟持片が一体形成され、前記上蓋と前記下蓋とを閉じて前記軸状工具を収納したとき、前記軸状工具の前記挿入穴から突出した部分を一対の前記挟持片によって挟持するようにしたことを特徴とする包装容器である。
【００１２】
以上の第１および第２の発明において、前記シャンク保持部は接続手段により前記背面板に取付けられてもよい。特に、前記シャンク保持部が着脱可能に取付けられるのが好ましい。
【発明の効果】
【００１３】
第１の発明の包装容器によれば、当該包装容器内に収納される軸状工具は、そのシャンクがシャンク保持部に設けた挿入穴に嵌め入れられ把持されるとともに、前記挿入穴から突出した部分が上蓋および下蓋にそれぞれ設けた、相対する少なくとも一対の挟持片によって挟持される。したがって、軸状工具の直径方向および長手方向のばたつきが防止され損傷することがない。さらに、上蓋および下蓋は開閉可能にヒンジ部を介して背面板およびシャンク保持部に結合されていて、これら上蓋と下蓋とを開くときには、前記シャンク保持部に把持された軸状工具に対して双方とも外側に向かって離間していくので、当該工具に接触して損傷させるということがない。さらに、上蓋および下蓋に設けた挟持片による挟持状態が解除されるとともに、当該工具の周囲に十分な作業スペースが確保でき、当該工具の取り出しおよび収納作業をきわめて容易に且つ能率的に行うことができる。しかも、包装容器を構成する上蓋、下蓋、ヒンジ部、背面板および挟持片が一体形成されていることから当該包装容器の製作コストが安価となる。
【００１４】
第２の発明の包装容器においては、包装容器とは別個をなす把持部材は、当該包装容器のシャンク保持部に嵌脱可能とされていて、当該把持部材の挿入穴に挿入された軸状工具のシャンクを把持するようにしたことから、シャンクの直径に対応した把持部材を用意することによって、シャンクの直径の異なる多種の軸状工具を１つの包装容器に収納することができる。
【００１５】
第１および第２の発明の包装容器において、少なくとも一対の挟持片がその弾性変形による弾性力でもって軸状工具を挟持するようにした場合には、一対の前記挟持片が互いに前記軸状工具の外周面に当接し且つ直径方向中心側に向かって押圧することから、当該工具は前記直径方向のばたつきが防止されるとともに、前記挟持片と当該工具の外周面との間に生じる摩擦力によって長手方向のばたつきが防止される。
【００１６】
さらに、上蓋および下蓋の少なくともいずれか一方に、軸状工具の長手方向先端側への移動を阻止するストッパー片を一体形成した場合には、前記軸状工具は前記ストッパー片によって所定の位置よりも長手方向先端側への移動が阻止されるため、前記軸状工具の先端部に形成した刃部の損傷が防止される。
【００１７】
さらに、上蓋および下蓋とを閉じた状態に保持するための係止手段を備えた場合には、軸状工具は挟持片によって挟持された状態に確実に保持されるため直径方向および長手方向のばたつきによる損傷が防止される。
【発明を実施するための最良の形態】
【００１８】
次に、本発明を適用した実施形態について図面を参照しながら説明する。図１は本実施形態である包装容器の上蓋と下蓋とを一直線状に開いた状態の正面図である。図２、図３、図４はそれぞれ図１に示す包装容器の平面図、左側面図、右側面図である。図５は図１に示す包装容器の上蓋と下蓋とを閉じた状態の正面図である。図６は図５におけるＳ１−Ｓ１線切断部拡大端面図である。図７は図５におけるＳ２−Ｓ２線切断部拡大端面図である。図８は他の実施形態である包装容器の図１に対応する図である。図９は図８に示す包装容器の図２に対応する図である。
【００１９】
図１〜図４において、上蓋２および下蓋３の矩形板状をなす側壁２ａ、３ａの短手側の一端部は、これら上蓋２と下蓋３とを開閉可能とするヒンジ部４を介して略正方形板状をなす背面板５にそれぞれ結合されている。前記背面板５の内面には軸状工具のシャンク２１を嵌め入れるための挿入穴７を備えたシャンク保持部６が一体形成されている。前記挿入穴７を取り囲む周壁は肉薄に形成されるとともに前記挿入穴７の穴径は嵌め入れられるシャンク２１の直径３．０ｍｍよりも若干小径の２．９ｍｍとされている。この挿入穴７に嵌め入れられたシャンク２１は当該挿入穴７の周壁の弾性変形で生じる弾性力によって把持される。また、前記挿入穴７はシャンク２１の挿入深さを限定するため止まり穴としてある。包装容器を構成する上蓋２、下蓋３、ヒンジ部４、背面板５、シャンク保持部６ならびに後述する挟持片８およびストッパー片９は射出成形等の金型を用いた鋳造によって一体成形されていて、その材質にはポリエチレンやポリスチレン等のプラスチックが用いられる。以下の説明では、上蓋２および下蓋３の背面板５に結合する一端部に対向する他端部側を長手方向先端側とする。
【００２０】
上蓋および下蓋の側壁２ａ、３ａの内面には、背面板５に接続する端部を除く辺稜部に沿って、前記内面に対して略直角に立設した外周壁２ｂ、３ｂが設けられる。図５に示すように上蓋２と下蓋３とを閉じて、前記上蓋の外周壁２ｂが前記下蓋の外周壁３ｂに外嵌することによって、互いの側壁２ａ、３ａおよび外周壁２ｂ、３ｂならびに背面板５によって軸状工具２０を収納するための閉じた収納空間Ｓが形成される。
【００２１】
上蓋および下蓋の側壁２ａ、３ａの内面には、軸状工具２０を挟持するための、相対する少なくとも一対の挟持片８が一体形成されている。すなわち、図１および図２に示すように上蓋の側壁２ａの内面には、当該内面に対して略直角に突出するとともに短手方向に所定の間隔をあけて並列に配置された２つの板状突起８ａが一体形成される一方、下蓋の側壁３ａの内面には、当該内面に対して略直角に突出するとともに短手方向に所定の間隔をあけて並列に配置され且つ前記２つの板状突起８ａに相対する２つの板状突起８ａが一体形成されていて、これら相対する４つの板状突起８ａが一対の挟持片８を構成している。個々の板状突起８ａは長手方向に幅広とされるとともに短手方向に撓み可能な程度に肉薄な形状とされている。本実施形態では４対の挟持片８がそれぞれの側壁２ａ、３ａの内面に、長手方向に間隔をあけて設けられている。図６の（ａ）に図示するように上蓋２と下蓋３とを閉じた状態において、一対の挟持片８を構成する各々の２つの板状突起８ａは、それぞれの先端部が軸状工具のシャンク２１の外周面に当接するとともに、互いの間隙を広げるように弾性変形し、この弾性変形によって生じる弾性力でもって前記シャンク２１を直径方向中心側に向かって押圧していて、各々の２つの板状突起８ａによる前記押圧力が均衡した状態で当該軸状工具のシャンク２１を直径方向および長手方向にばたつかないように挟持している。あるいは、図６の（ｂ）に示すように上蓋の側壁２ａに形成した挟持片８の一方が前記側壁２ａの内面から突出した突起部に、軸状工具のシャンク２１の外周面に近似した半円形状の凹部８ｂを切り欠いたものであってもよい。この場合にも、軸状工具２０は下蓋３に設けた２つの板状突起８ａによる押圧力によって前記凹部８ｂに押し付けられることによって挟持され直径方向および長手方向にばたつかないように保持される。
【００２２】
さらに、上蓋および下蓋の各側壁２ａ、３ａの内面には、長手方向の最も先端側に配置された挟持片８よりもさらに先端側の位置に、それぞれの側壁２ａ、３ａの内面から直角に突出する１つの板状突起９ａからなるストッパー片９が相対して一対に形成されている。前記板状突起９ａは短手方向に幅広とされるとともに長手方向に撓み可能な程度に薄肉な板状とされている。図７に図示するように上蓋２と下蓋３とを閉じた状態において、相対する一対の板状突起９ａはその突出方向に軸状工具のシャンク２１の直径よりも小さな間隙Ｃをあけて離隔しているため、前記板状突起９ａから構成されるストッパー片９は当該シャンク２１の挿通を許容せず、当該工具２０の長手方向先端側への移動を阻止する。なお、軸状工具２０の先端部に設けられた刃部２２の直径がシャンク２１の直径よりも小さい軸状工具２０を収納する場合には、相対する板状突起９ａは前記刃部２２の直径よりも大きな間隙Ｃをあけて離隔していて、当該刃部２２はストッパー片９に接触することなく挿通可能とされる。この場合、前記ストッパー片９よりも長手方向先端側には、当該ストッパー片９から突出した前記刃部２２が上蓋および下蓋の外周壁２ｂ、３ｂの内面に接触しない程度の空間が確保されている。
【００２３】
上蓋２および下蓋３はヒンジ部４を中心として回動することにより開閉され、双方の蓋２、３のなす開き角度θが鈍角あるいは図１に示すように一直線状をなすように開くことが可能である。また、閉じたときには、上蓋２が下蓋３に外嵌することによって閉じた状態が保持される。さらに、上蓋２と下蓋３とを閉じた状態を保持するための係止手段１０が設けられるのが好ましい。本実施形態では、図１および図２に示すように係止手段１０は、上蓋の長手側外周壁２ｂを厚み方向に貫通する貫通穴１０ａと、下蓋の長手側外周壁３ｂの外面の表面から外側に向かって突出する半球状突起１０ｂとからなる。上蓋２と下蓋３とを閉じたとき、これら貫通穴１０ａと半球状突起１０ｂとは互いに嵌り合うことによってこれら上蓋２と下蓋３とを閉じた状態に保持する。前記貫通穴１０ａと半球状突起１０ｂとの嵌め合い状態の解除は、前記半球状突起１０ｂの近傍で、下蓋の長手側外周壁３ｂを内側に向かって押し込むことにより、前記半球状突起１０ｂが対応する前記貫通穴１０ａから離脱することによって行われる。嵌め合い状態の解除が行いやすいように、前記半球状突起１０ｂに近い短手側外周壁３ｂには、図４に示すように下蓋の長手側外周壁３ｂを撓みやすくするためのスリット３ｃが形成されている。
【００２４】
以上に説明した実施形態の包装容器１には次に述べるような効果がある。本実施形態の包装容器１によれば、当該包装容器１内に収納される軸状工具２０は、そのシャンク２１がシャンク保持部６に設けた挿入穴７に嵌め入れられ把持されるとともに、前記挿入穴７から突出した部分が上蓋２および下蓋３にそれぞれ設けた、相対する少なくとも一対の挟持片８によって挟持される。したがって、軸状工具２０の直径方向および長手方向のばたつきが防止され損傷することがない。さらに、上蓋２および下蓋３はヒンジ部４を中心として回動可能とされ、これら上蓋２と下蓋３とを開くとき、双方は前記シャンク保持部６に保持された軸状工具２０に対して外側に向かって離間していくので、当該軸状工具２０に接触して損傷させるということがない。さらに、上蓋２と下蓋３とは互いのなす開き角度θが鈍角あるいは１８０°程度に開くことができるとともに、挟持片８による軸状工具２１の挟持状態が解除されることから、当該軸状工具２０の周囲に十分な作業スペースが確保でき、当該軸状工具２０の取り出しおよび収納作業をきわめて容易に且つ能率的に行うことができる。しかも、包装容器１を構成する上蓋２、下蓋３、ヒンジ部４、背面板５、シャンク保持部６、挟持片８およびストッパー片９が一体形成されていることから、当該包装容器１の製作コストが安価となる。
【００２５】
シャンク保持部６が接着剤（ボンド）等を用いた接続手段により背面板５に取付けられるようにした場合には、軸状工具のシャンク２１の直径に対応したシャンク保持部６のみを製作し前記背面板５に後付けできることから経済性が高くなる。シャンク保持部６および背面板５がそれぞれの接続部に嵌脱可能に設けられた凸部および凹部によって着脱可能とされた場合には、シャンク２１の直径に対応したシャンク保持部６に適宜交換することによって、多種の軸状工具２０が１つの包装容器に収納可能となり、経済性がいっそう高くなる。
【００２６】
上蓋２および下蓋３の内面にそれぞれ相対して形成された少なくとも一対の挟持片８は、弾性変形による弾性力でもって軸状工具のシャンク２１を側面側から相互に押圧し且つ挟持することから、当該軸状工具２０の直径方向のばたつきを防止するとともに、当該挟持片８と当該シャンク２１の外周面との間に生じる摩擦力によって長手方向のばたつきを防止する。
【００２７】
シャンク保持部６ならびに挟持片８との摩擦力によって長手方向にばたつかないように保持されている軸状工具２０は、包装容器の運搬時の落下等により前記摩擦力を超える力が加わったとき長手方向に移動するおそれがあるが、ストッパー片９が当該軸状工具２０の長手方向先端側への移動を阻止するため、当該軸状工具２０の先端側に設けられた刃部２２の損傷が防止される。シャンク２１の直径にくらべ刃部２２の直径が小さい軸状工具２０においては、刃部２２はストッパー片９に接触することなく挿通するため折損等の損傷を生じることがない。この効果は刃部２２の強度が特に低下する極小径ドリルおよび極小径エンドミル等の軸状工具２０においてきわめて有効である。
【００２８】
さらに、上蓋２および下蓋３にそれぞれに設けられた係止手段１０は、これら上蓋２と下蓋３とを閉じた状態に保持することから、軸状工具２０は少なくとも一対の挟持片８によって挟持された状態に確実に保持さるため直径方向および長手方向のばたつきによる損傷が確実に防止される。
【００２９】
次に、本発明の他の実施形態について以下に説明する。先に説明した実施形態と同一の構成については説明を省略し、図面についても同一符号で示す。図８および図９において、軸状工具２０のシャンク２１は、包装容器１のシャンク保持部の挿入穴７に直接嵌め入れられず、把持部材３０を介して把持される。すなわち、包装容器１の本体とは別個に形成された、略円筒状をなす把持部材３０は、包装容器１と同様にポリエチレンやポリスチレン等のプラスチックからなり、その軸心に沿って両端面を貫通する挿入穴３１が形成されるとともに、この挿入穴３１まわりの周壁を貫通し且つ当該把持部材３０の一端面から切り込まれたスリットが設けられていて、前記周壁の直径方向の弾性変形がたやすく生じるようにしてある。一方、シャンク保持部の挿入穴７は開口部から穴底に向かうにしたがって漸次縮径するテーパ状とされていて、この挿入穴７に、スリットが切り込まれた一端面側から挿入された把持部材３０は、その周壁が前記テーパ状内壁に圧接することにより、当該把持部材の挿入穴３１は直径方向に弾性変形し縮径することによって、前記挿入穴３１に嵌め入れられた軸状工具のシャンク２１を把持する。
【００３０】
把持部材３０は、前記のようにシャンク保持部の挿入穴７と協働して軸状工具のシャンク２１を把持するものに限らず単独で把持する作用を有するものでもよく、例えば、先の実施形態におけるシャンク保持部６の如く、当該把持部の挿入穴３１を取り囲む周壁を肉薄に形成するとともに前記挿入穴３１の穴径をシャンク２１の直径よりも若干小径にして前記周壁の弾性変形による弾性力でもって軸状工具のシャンク２１を把持するものでもよい。
【００３１】
この実施形態の包装容器１においては、先に説明した実施形態と同一の効果を有するうえに、把持部材３０がシャンク保持部６に嵌脱可能とされていることから、シャンク２１の直径が相違する多種の軸状工具２０を収納する場合、前記シャンク２１の直径に対応した把持部材３０を用いることによって、１つの包装容器１に前記多種の軸状工具２０を収納することができる。しかも、当該把持部材の挿入穴３１に嵌め入れられた軸状工具のシャンク２１が前記挿入穴３１の周壁の弾性変形による弾性力によって把持されるようにしたことから、当該軸状工具２０は直径方向および長手方向にばたつかないように保持される。
【００３２】
以上、本発明の実施形態を図面に基づいて説明したが、これらはあくまでも一実施形態であり、本発明は当業者の知識に基づいて種々の変更、改良を加えた態様で実施することができる。
【図面の簡単な説明】
【００３３】
【図１】本発明の実施形態である包装容器の上蓋と下蓋とを一直線状に開いた状態の正面図である。
【図２】図１に示す包装容器の平面図である。
【図３】図１に示す包装容器の左側面図である。
【図４】図１に示す包装容器の右側面図である。
【図５】図１に示す包装容器の上蓋と下蓋とを閉じた状態の正面図である。
【図６】図５におけるＳ１−Ｓ１線切断部端面図である。
【図７】図５におけるＳ２−Ｓ２線切断部端面図である。
【図８】本発明の他の実施形態である包装容器の図１に対応する図である。
【図９】図８に示す包装容器の図２に対応する図である。
【図１０】従来の包装容器の一部を切り欠いて内部構造を示した正面図である。
【図１１】他の従来の包装容器を示す図であり、（ａ）は正面図、（ｂ）は右側面図である。
【図１２】さらに他の従来の包装容器の作用を説明するための正面図である。
【符号の説明】
【００３４】
１  包装容器
２  上蓋
３  下蓋
４  ヒンジ部
５  背面板
６  シャンク保持部
７  シャンク保持部の挿入穴
８  挟持片
９  ストッパー片
１０  係止手段
２０  軸状工具
２１  軸状工具のシャンク
３０  把持部材
３１  把持部材の挿入穴
Ｓ  収納空間
θ  上蓋と下蓋とのなす開き角度
Ｃ  相対するストッパー片の間隙
【図１】
2006347610.tif 000003
【図２】
2006347610.tif 000004
【図３】
2006347610.tif 000005
【図４】
2006347610.tif 000006
【図５】
2006347610.tif 000007
【図６】
2006347610.tif 000008
【図７】
2006347610.tif 000009
【図８】
2006347610.tif 000010
【図９】
2006347610.tif 000011
【図１０】
2006347610.tif 000012
【図１１】
2006347610.tif 000013
【図１２】
2006347610.tif 000014